(57)【要約】【課題】硬化後の現場打ちコンクリート構造物の、特に底面部分に、容易に且つ効率良く墨出しを行うことのできるコンクリート表面の墨出し方法を提供する。【解決手段】型枠を用いて形成された現場打ちコンクリート構造物の表面として、例えば天井スラブ２０の底面部分２０ａに、位置決め用の墨出しを行う墨出し方法であって、型枠１０を組み立てた後、コンクリートが打設されるのに先立って、組み立てられた型枠１０における天井スラブ２０の底面部分２０ａのコンクリート打設面１０ａに、硬化後のコンクリートの表面に転写可能な着色塗料を用いて、例えば断熱材の吹付け境界の位置決め用のマーキング２１を描いておく。打設したコンクリートが硬化した後、型枠１０を脱型した際に、描かれた位置決め用のマーキング２１を天井スラブ２０の底面部分２０ａに転写させて、位置決め用の墨出しを行う。【選択図】図１
2018168614.tif 000002
【特許請求の範囲】
【請求項１】
型枠を用いて形成された現場打ちコンクリート構造物の表面に、位置決め用の墨出しを行うコンクリート表面の墨出し方法であって、
型枠を組み立てた後、コンクリートが打設されるのに先立って、組み立てられた型枠のコンクリート打設面に、硬化後のコンクリートの表面に転写可能な着色塗料を用いて、境界線、取付け位置等の位置決め用のマーキングを描いておき、打設したコンクリートが硬化した後、型枠を脱型した際に、描かれた位置決め用のマーキングを現場打ちコンクリート構造物の表面に転写させて、位置決め用の墨出しを行うコンクリート表面の墨出し方法。
【請求項２】
前記位置決め用のマーキングが描かれる型枠のコンクリート打設面は、現場打ちコンクリート構造物の底面部分の打設面である請求項１記載のコンクリート表面の墨出し方法。
【請求項３】
前記硬化後のコンクリートの表面に転写可能な着色塗料は、黒色以外の色の着色塗料である請求項１又は２記載のコンクリート表面の墨出し方法。
【請求項４】
前記位置決め用のマーキングは、文字情報を含んだマーキングである請求項１〜３のいずれか１項記載のコンクリート表面の墨出し方法。
【発明の詳細な説明】
【技術分野】
【０００１】
本発明は、コンクリート表面の墨出し方法に関し、特に、型枠を用いて形成された現場打ちコンクリート構造物の表面に、位置決め用の墨出しを行うコンクリート表面の墨出し方法に関する。
【背景技術】
【０００２】
従来より、型枠を用いて形成された現場打ちコンクリート構造物の表面に、例えば断熱材を吹き付ける際の吹付け境界の位置や、空調用の室外機を取り付ける際のアンカーの打込み位置を位置決めするための、墨出し行う墨出し方法として、墨出し用の糸を有する墨つぼを用いた方法が知られている。また、型枠を組み立てた後に、鉄筋や箱抜きや埋設金物等の配置のための位置出しを、効率良く行うことができるようにした、コンクリート型枠用パネルも開発されている（例えば、特許文献１参照）。
【０００３】
特許文献１のコンクリート型枠用パネルでは、その片面又は両面に、所定の目盛が所定の配置で予め設けられており、これらの目盛りを参照しながら、鉄筋や箱抜きや埋設金物等の配設位置を決めることができるようになっている。また、特許文献１のコンクリート型枠用パネルでは、コンクリート面に転写可能な塗料を用いて目盛を形成することで、型枠用パネルを脱型した後の硬化した現場打ちコンクリート構造物の表面に、目盛りを転写させて、コンクリート面の下地処理に利用することで、下地処理のための墨出しや位置出しを効率良く行なうことができるようになっている。
【先行技術文献】
【特許文献】
【０００４】
【特許文献１】特開平９−１５１６０３号公報
【発明の概要】
【発明が解決しようとする課題】
【０００５】
しかしながら、従来の墨つぼによる墨出し方法や、目盛が設けられた型枠用パネルを用いた墨出し方法では、特に硬化後の現場打ちコンクリート構造物の底面部分に、吹付け境界の位置や、アンカーの打込み位置を位置決めするための墨出しを行う際には、例えば墨出しを行うために設けた仮設足場の上で、作業員が、コンクリート構造物の底面を見上げた状態で行なう必要があるため、作業がやり難く、位置決めするための墨出しを効率良く行うことは困難である。
【０００６】
本発明は、硬化後の現場打ちコンクリート構造物の、特に底面部分に、例えば吹付け境界の位置や、アンカーの打込み位置を位置決めするための墨出しを、容易に且つ効率良く行うことのできるコンクリート表面の墨出し方法を提供することを目的とする。
【課題を解決するための手段】
【０００７】
本発明は、型枠を用いて形成された現場打ちコンクリート構造物の表面に、位置決め用の墨出しを行うコンクリート表面の墨出し方法であって、型枠を組み立てた後、コンクリートが打設されるのに先立って、組み立てられた型枠のコンクリート打設面に、硬化後のコンクリートの表面に転写可能な着色塗料を用いて、境界線、取付け位置等の位置決め用のマーキングを描いておき、打設したコンクリートが硬化した後、型枠を脱型した際に、描かれた位置決め用のマーキングを現場打ちコンクリート構造物の表面に転写させて、位置決め用の墨出しを行うコンクリート表面の墨出し方法を提供することにより、上記目的を達成したものである。
【０００８】
そして、本発明のコンクリート表面の墨出し方法は、前記位置決め用のマーキングが描かれる型枠のコンクリート打設面が、現場打ちコンクリート構造物の底面部分の打設面であることが好ましい。
【０００９】
また、本発明のコンクリート表面の墨出し方法は、前記硬化後のコンクリートの表面に転写可能な着色塗料が、黒色以外の色の着色塗料であることが好ましい。
【００１０】
さらに、本発明のコンクリート表面の墨出し方法は、前記位置決め用のマーキングは、文字情報を含んだマーキングであることが好ましい。
【発明の効果】
【００１１】
本発明のコンクリート表面の墨出し方法によれば、硬化後の現場打ちコンクリート構造物の、特に底面部分に、例えば吹付け境界の位置や、アンカーの打込み位置を位置決めするための墨出しを、容易に且つ効率良く行うことができる。
【図面の簡単な説明】
【００１２】
【図１】本発明の好ましい第１実施形態に係るコンクリート表面の墨出し方法を説明する、（ａ）は、天井スラブの部分を斜め下方から見た部分斜視図、（ｂ）は、吹付け仕上げ材を吹き付けた後の天井スラブの部分を斜め下方から見た部分斜視図、（ｃ）は、コンクリートを打設する前の天井スラブの部分の型枠を斜め上方から見た部分斜視図である。
【図２】本発明の好ましい第２実施形態に係るコンクリート表面の墨出し方法の説明図する、（ａ）は、コンクリート製バルコニーの部分を斜め下方から見た部分斜視図、（ｂ）は、コンクリートを打設する前のコンクリート製バルコニーの部分の型枠を斜め上方から見た部分斜視図である。
【発明を実施するための形態】
【００１３】
図１（ａ）〜（ｂ）に示す本発明の好ましい第１実施形態に係るコンクリート表面の墨出し方法は、例えば鉄筋コンクリート造りの住宅建築物において、例えば上階と下階とを仕切る天井スラブ２０を現場打ちコンクリート構造物として形成する際に、打設したコンクリートが硬化した後の天井スラブ２０の底面部分２０ａに、例えば吹付け仕上げ材３０（図１（ｃ）参照）の吹付け境界３１の位置を位置決めするための墨出し行う方法として採用されたものである。すなわち、本第１実施形態の墨出し方法は、硬化した後の天井スラブ２０の底面部分２０ａに、例えば断熱材を吹付け仕上げ材３０として吹き付けて断熱層を形成する際には、天井スラブ２０の底面部分２０ａに沿って配置される他の仕上げ材等との関係で、断熱材３０を吹き付けない部分との間に吹付け境界３１を設ける必要があることから、吹付け境界３１をマーキング２１（図１（ａ）、（ｃ）参照）により明示して位置決めする墨出しを、天井スラブ２０の底面部分２０ａに容易に行うことができるようにするための方法として採用されたものである。また、本第１実施形態の墨出し方法は、従来の墨つぼを用いた墨出し方法では、天井スラブ２０の底面部分２０ａに墨出しを行う際に、天井スラブ２０の下方に設けた仮設足場の上で、作業員が、天井スラブ２０の底面部分２０ａを見上げた状態で行なう必要があるため、作業がやり難く、効率良く墨出しを行うことは困難であったことから、底面部分２０ａを見上げた状態での作業や仮設足場を不要にして、下を向いた作業によって、効率良く墨出しできるようにするための方法として採用されたものである。
【００１４】
そして、本第１実施形態のコンクリート表面の墨出し方法は、型枠１０（図１（ｃ）参照）を用いて形成された現場打ちコンクリート構造物の表面として、例えば天井スラブ２０の底面部分２０ａに、位置決め用の墨出しを行うコンクリート表面の墨出し方法であって、型枠１０を組み立てた後、コンクリートが打設されるのに先立って、組み立てられた型枠１０における例えば天井スラブ２０の底面部分２０ａのコンクリート打設面１０ａに、硬化後のコンクリートの表面に転写可能な着色塗料を用いて、境界線として、例えば断熱材の吹付け境界３１の位置決め用のマーキング２１を描いておく（図１（ａ）参照）。打設したコンクリートが硬化した後、型枠１０を脱型した際に、描かれた吹付け境界３１の位置決め用のマーキング２１を天井スラブ２０の底面部分２０ａに転写させて、位置決め用の墨出しを行うようになっている（図１（ａ）参照）。
【００１５】
本実施形態では、型枠１０を組み立てた後、コンクリートが打設されるのに先立って、図１（ｃ）に示すように、組み立てられた型枠１０における天井スラブ２０の底面部分２０ａ（図１（ａ）参照）のコンクリート打設面１０ａに、断熱材３０の吹付け境界３１を位置決めするための、位置決め用のマーキング２１を描いておく（図１（ａ）参照）。位置決め用のマーキング２１を描く作業は、天井スラブ２０の底面部分２０ａの型枠１０が組み立てられた後に、好ましくは鉄筋２３が組み付けられる前に、例えばスケールや定規を使用すると共に、硬化後のコンクリートの表面に転写可能な着色塗料を使用して、容易に行うことができる。また、位置決め用のマーキング２１を描く作業は、組み立てられた天井スラブ２０の底面部分２０ａの型枠１０を足場として、下を向いた作業によって、安定した状態で安全に、且つ所定の位置に精度良く位置決めしながら、効率良く行ってゆくことが可能である。
【００１６】
ここで、硬化後のコンクリートの表面に転写可能な着色塗料としては、油性のマジックインキやペイントマーカー等の、市販されている種々の着色塗料を用いることができる。また、硬化後のコンクリートの表面に転写可能な着色塗料は、黒色以外の、例えば赤、青、緑等に着色された、その他の色の着色塗料を用いることが好ましい。これによって、例えば目立った色の着色塗料を用いることにより、型枠１０を脱型した後に、天井スラブ２０の底面部分２０ａに転写された位置決め用のマーキング２１（図１（ａ）参照）が、よりはっきりと分かるようにすることが可能になる。天井スラブ２０の底面部分２０ａは、後に天井仕上げ材によって覆い隠される部分となるため、目立った色の着色塗料を用いても、室内から見えないことになって、美観を損なうのを回避することが可能になる。
【００１７】
また、本実施形態では、天井スラブ２０を形成するための型枠１０は、下階で用いたものを上階で転用して再利用される場合があるが、各階ごとに着色塗料の色を変えておくことで、例えば下階で使用した着色塗料の残りが上階の天井スラブ２０の底面部分２０ａに付着しても、これらの色を判別することで、正しく位置決めされたマーキング２１を用いて、次の作業を行うことが可能になる。
【００１８】
さらに、本実施形態では、位置決め用のマーキング２１は、文字情報を含んだマーキングとすることもできる。文字情報を含んだマーキングは、例えば断熱材３０の吹付け境界３１を示す線状のマーキング２１に加えて、例えば１Ｆ、２Ｆ、３Ｆ等の文字情報を描いたものである。これらによって、上述のように、例えば下階で使用した着色塗料の残りが上階の天井スラブ２０の底面部分２０ａに付着しても、これらの文字情報によって、正しく位置決めされたマーキング２１を用いて、次の作業を行うことが可能になる。
【００１９】
組み立てられた型枠１０の天井スラブ２０の底面部分２０ａのコンクリート打設面１０ａに、位置決め用のマーキング２１を描いたら、鉄筋２３を配筋すると共に、底面部分２０ａ以外の型枠を組み立てた後に、天井スラブ２０のコンクリートを打設する。打設したコンクリートが硬化したら、型枠１０を脱型する。型枠１０の脱型によって、型枠１０の底面部分２０ａのコンクリート打設面１０ａに着色塗料によって描かれていたマーキング２１は、コンクリート打設面１０ａから引き剥がされて、図１（ｂ）に示すように、天井スラブ２０の底面部分２０ａにスムーズに転写されることになる。
【００２０】
これによって、本第１実施形態のコンクリート表面の墨出し方法によれば、硬化後の現場打ちコンクリート構造物である天井スラブ２０の底面部分２０ａに、例えば断熱材３０の吹付け境界３１を位置決めするための墨出しを、底面部分２０ａを見上げた状態での作業や仮設足場を要することなく、着色塗料を用いて容易に且つ効率良く行うことが可能になる。
【００２１】
図２（ａ）、（ｂ）は、本発明の好ましい第２実施形態に係るコンクリート表面の墨出し方法を例示するものである。本第２実施形態の墨出し方法では、型枠を用いて形成された現場打ちコンクリート構造物の表面として、例えばコンクリート製バルコニー２５の底面部分であるあげ裏部分２５ａａ（図２（ａ）参照）に、位置決め用の墨出しを行うコンクリート表面の墨出し方法であって、型枠１０’（図２（ｂ）参照）を組み立てた後、コンクリートが打設されるのに先立って、組み立てられた型枠１０’における例えばコンクリート製バルコニー２５のあげ裏部分２５ａのコンクリート打設面１０ａ’に、硬化後のコンクリートの表面に転写可能な着色塗料を用いて、例えば空調用の室外機を取り付ける際のアンカーの打込み位置３２の位置決め用のマーキング２６を描いておく（図２（ｂ）参照）。打設したコンクリートが硬化した後、型枠１０’を脱型した際に、描かれた打込み位置３２の位置決め用のマーキング２６をコンクリート製バルコニー２５のあげ裏部分２５ａに転写させて、アンカーの打込み位置３２の位置決め用の墨出しを行うようになっている（図２（ａ）参照）。
【００２２】
本第２実施形態の墨出し方法によっても、位置決め用のマーキング２６を描く作業は、組み立てられたコンクリート製バルコニー２５のあげ裏部分２５ａの型枠１０’を足場として、下を向いた作業によって、安定した状態で安全に、且つ所定の位置に精度良く位置決めしながら、効率良く行ってゆくことができる。打設したコンクリート製バルコニー２５のコンクリートが硬化したら、型枠１０’を脱型することにより、型枠１０’のあげ裏部分２５ａのコンクリート打設面１０ａ’に着色塗料によって描かれていたマーキング２６（図２（ｂ）参照）は、コンクリート打設面１０ａ’から引き剥がされて、図２（ａ）に示すように、コンクリート製バルコニー２５のあげ裏部分２５ａにスムーズに転写されることになるので、上記の第１実施形態のコンクリート表面の墨出し方法と同様の作用効果が奏される。
【００２３】
また、本第２実施形態の墨出し方法では、硬化後のコンクリートの表面に転写可能な着色塗料として、例えば灰色等の、硬化後のコンクートの色に近い、図面を見て「この辺りにあるはず」と思って探さなければ、見つからないような色の着色塗料を用いることが好ましい。これによって、型枠１０’の脱型後にコンクリートの表面がむき出しのままの状態となったり、簡易な仕上げしか行なわれない部位である、例えばコンクリート製バルコニー２５のあげ裏部分２５ａの所定の領域に墨出しを行った場合でも、着色したマーキング２６が目立たないようにして、美観が損なわれるのを効果的に回避することが可能になる。
【００２４】
なお、本発明は上記各実施形態に限定されることなく、種々の変更が可能である。例えば、現場打ちコンクリート構造物の表面に転写される位置決め用のマーキングが描かれる、型枠のコンクリート打設面は、現場打ちコンクリート構造物の底面部分の打設面である必要は必ずしも無く、型枠の側面部分のコンクリート打設面等であっても良い。
【符号の説明】
【００２５】
１０，１０’  型枠
１０ａ，１０ａ’  コンクリート打設面
２０  天井スラブ（現場打ちコンクリート構造物）
２０ａ  底面部分
２１  吹付け境界の位置決め用のマーキング
２３  鉄筋
２５  コンクリート製バルコニー（現場打ちコンクリート構造物）
２５ａ  あげ裏部分（底面部分）
２６  アンカーの打込み位置の位置決め用のマーキング
３０  吹付け仕上げ材
３１  吹付け境界
３２  アンカーの打込み位置
【図１】
2018168614.tif 000003
【図２】
2018168614.tif 000004